(57)【要約】【課題】スピーカ装置が邪魔にならず、防水性、耐候性及び耐久性に優れ、小音量でも聞き取り易い高音質な音声を発生させることができるスピーカ機能付きポールを提供する。【解決手段】中空のポール本体１１の内周面１１ａに振動を発生するアクチュエータ１５が固定されている。これにより、アクチュエータ１５の振動がポール本体１１に伝播し、ポール本体１１を介して周囲の空気を振動させて、聞き取り易い高音質な音声を発生させることができる。また、振動を発生するアクチュエータ１５は、ポール本体１１の内部に設けられているので、聴者に近い位置に設置されても邪魔にならない。これにより、音量を下げて騒音等の問題を回避することができる。また、アクチュエータ１５がポール本体１１の内部に設けられていることにより、アクチュエータ１５やそれに付属する電子部品等について防水性が確保され、優れた耐候性及び耐久性が得られる。【選択図】図２
2018182401.tif 000002
【特許請求の範囲】
【請求項１】
中空のポールの内周面に振動を発生するアクチュエータが固定されていることを特徴とするスピーカ機能付きポール。
【請求項２】
前記アクチュエータは、振動板と前記振動板を加振する振動発生部とを有し、前記振動板が前記内周面に固定されていることを特徴とする請求項１に記載のスピーカ機能付きポール。
【請求項３】
前記振動発生部は、前記振動板の一方の主面側に固定されて前記振動板の板厚方向に振動し、
前記振動板は、前記一方の主面の反対側となる他方の主面が前記内周面または前記内周面に設けられた取付部に直接またはクッション材を介して当接するよう固定されていることを特徴とする請求項２に記載のスピーカ機能付きポール。
【請求項４】
前記アクチュエータは、複数設けられ、それぞれの前記アクチュエータから異なる振動が発せられることを特徴とする請求項１ないし請求項３の何れか１項に記載のスピーカ機能付きポール。
【発明の詳細な説明】
【技術分野】
【０００１】
本発明は、街路灯や看板等に用いられるポールに関し、特に、電気信号を音声に変換して周囲に発することが可能なスピーカ機能を有するポールに関する。
【背景技術】
【０００２】
一般に、地面等に立設されたポールの上に、音声を発するスピーカが設置されることがある。例えば、特許文献１には、防災行政無線を受信して拡声放送する屋外自立型放送拡声装置において、地上に立てられたポールに音声信号を拡声放送するスピーカが取り付けられることが示されている。スピーカの形式としては、コーン状振動板が直接空気に接しているコーン形や、振動板がホーンを通じて空気に接するホーン形等が知られている。このようにポールに設置されるスピーカは、商店街やレジャー施設、学校、駅等におけるアナウンスや音楽放送等に広く利用されている。
【先行技術文献】
【特許文献】
【０００３】
【特許文献１】特開２０１６−４６６１２号公報（第４頁、第１図）
【発明の概要】
【発明が解決しようとする課題】
【０００４】
しかしながら、上記のようにポール等に取り付けられる従来技術のスピーカは、音質が悪く、ノイズが多くて、聞き取り難いという問題点があった。特に、屋外に設置されるスピーカでは、水に弱いコーン等の振動体が防止ケース等によって覆われていることも多く、その場合、音質は更に低下し、音声が聞き取り難くなる。
【０００５】
そして、従来、聞き取り難さを補うためにスピーカの音量が高められる例が見受けられた。その場合、例えば、近隣の店舗や住宅等の内部にまで不快な騒音が伝播するという問題も起こり得る。特に、ポールの上にスピーカが設置される場合、地上付近では音声を聞き取り難く、スピーカと略同じ高さにある近隣の住宅等の２階部分において大きな騒音を感じる場合もある。
【０００６】
また、従来技術のスピーカでは、地上付近における音質を向上させるためにスピーカの設置高さを下げることも考えられるが、その場合、スピーカが邪魔になり、通行人等がスピーカに接触する恐れもある。また、屋外に設置されるスピーカでは、スピーカやそれに付属する電子部品等について、風雨や日射に耐え得る十分な防水性、耐候性、耐久性が確保された設置が求められる。
【０００７】
本発明は、上記の事情に鑑みてなされたものであり、その目的とするところは、スピーカ装置が邪魔にならず、防水性、耐候性及び耐久性に優れ、小音量でも聞き取り易い高音質な音声を発生させることができるスピーカ機能付きポールを提供することにある。
【課題を解決するための手段】
【０００８】
本発明のスピーカ機能付きポールは、中空のポールの内周面に振動を発生するアクチュエータが固定されていることを特徴とする。
【発明の効果】
【０００９】
本発明のスピーカ機能付きポールによれば、中空のポールの内周面に振動を発生するアクチュエータが固定されている。これにより、アクチュエータの振動がポールに伝播し、ポールを介して周囲の空気を振動させて、聞き取り易い高音質な音声を発生させることができる。特に、ポールの外周面近傍から自然波に近い平面波状の空気振動が発生するので、干渉によるノイズが少なく小音量でも遠くまで到達する明瞭な音波が得られる。
【００１０】
また、振動を発生するアクチュエータは、ポールの内部に設けられているので、聴者に近い位置に設置されても邪魔にならない。これにより、音量を下げて騒音等の問題を回避することができる。また、アクチュエータがポールの内部に設けられていることにより、アクチュエータやそれに付属する電子部品等について防水性が確保され、優れた耐候性及び耐久性が得られる。
【００１１】
また、アクチュエータは、振動板とその振動板を加振する振動発生部とを有し、振動板がポールの内周面に固定されていても良い。これにより、振動発生部の振動が振動板を介してポールの内周面に効率良く伝播され、ポールからの高音質な音声が得られる。
【００１２】
また、振動発生部は、振動板の一方の主面側に固定されて振動板の板厚方向に振動し、振動板は、一方の主面の反対側となる他方の主面が内周面または内周面に設けられた取付部に直接またはクッション材を介して当接するよう固定されていても良い。これにより、アクチュエータによる振動が効率良くポールに伝播される。
【００１３】
また、アクチュエータは、複数設けられ、それぞれのアクチュエータから異なる振動が発せられても良い。これにより、立体的で臨場感のある音響効果が得られる。
【図面の簡単な説明】
【００１４】
【図１】本発明の実施形態に係るスピーカ機能付きポールを用いた街路灯装置の正面図である。
【図２】本発明の実施形態に係るスピーカ機能付きポールのアクチュエータ付近を示す部分断面斜視図である。
【図３】本発明の実施形態に係るスピーカ機能付きポールに用いられるアクチュエータの（Ａ）正面図、（Ｂ）側面図である。
【図４】本発明の実施形態に係るスピーカ機能付きポールのアクチュエータ付近を示す横断面図である。
【図５】本発明の他の実施形態に係るスピーカ機能付きポールのアクチュエータ付近を示す横断面図である。
【発明を実施するための形態】
【００１５】
以下、本発明の実施形態に係るスピーカ機能付きポールを図面に基づき詳細に説明する。
図１は、本発明の実施形態に係るスピーカ機能付きポールであるポール１０を用いた街路灯装置１の正面図である。
【００１６】
図１に示すように、街路灯装置１は、地面Ｇに立設されたポール１０と、ポール１０の上部に取り付けられた照明装置２１と、撮像装置２２と、を有する。街路灯装置１は、例えば、商店街やレジャー施設、公園、歩道、学校、駅、駐車場等に設置されるものであり、各種アナウンスや音楽放送等に利用される他、防犯その他の目的で周囲の状況を撮影するために利用される。
【００１７】
ポール１０のポール本体１１は、例えば、鋼管等の金属管から構成される中空の柱である。ポール本体１１の内部には、ポール１０にスピーカ機能を発揮させるためのアクチュエータ１５が設けられている。アクチュエータ１５は、例えば、聴者である歩行者Ｐの頭部付近の高さに配設されている。これにより、歩行者Ｐに対して聞き取り易く音声を発することができ、従来技術のスピーカよりも音量を下げて近隣への不快な騒音を抑制することができる。
【００１８】
照明装置２１は、例えば、ＬＥＤ照明装置等である。撮像装置２２は、街路灯装置１の周囲を撮影するものであり、例えば、撮影した画像を送信可能な通信機能を備え、且つ、通信機能によって遠隔操作が可能であっても良い。
【００１９】
街路灯装置１は、音声を発生させるための図示しない制御装置、照明装置２１や撮像装置２２を制御するための図示しない制御装置やセンサ類、電源装置等を備えている。それらの装置は、ポール本体１１の内部に収納されていても良い。また、街路灯装置１は、太陽光発電装置や風力発電装置等、その他の図示しない装置を備えていても良く、それらの装置がポール１０に取り付けられていても良い。
【００２０】
なお、街路灯装置１は、本発明の実施形態に係るポール１０を利用する装置の一例を示すものであり、ポール１０の用途は街路灯等に限定されるものではない。ポール１０は、街路灯等の他に、例えば、標識用のポール、各種看板用のポール、信号機用の支柱、電力線や電気通信線用の支柱、各種構造体の支柱、その他の用途に利用されても良い。また、ポール１０は、屋外利用に限定されるものではなく、屋内に設置、利用されても良い。
【００２１】
図２は、ポール１０のアクチュエータ１５付近を示す部分断面斜視図である。図２に示すように、ポール１０のポール本体１１は、略角管状に形成されており、その内部には、振動を発生するアクチュエータ１５が取り付けられている。アクチュエータ１５は、ポール本体１１の内部に設けられているので、聴者である歩行者Ｐ（図１参照）に近い位置に設置されても邪魔にならない。これにより、前述のとおり、音量を下げて騒音等の問題を回避することができる。
【００２２】
また、アクチュエータ１５やそれに付属する図示しない電子部品等がポール本体１１の内部に設けられていることにより、アクチュエータ１５等について防水性が確保され、優れた耐候性及び耐久性が得られる。
【００２３】
また、アクチュエータ１５は、ポール本体１１の内部の複数箇所に設けられても良い。例えば、本実施形態では、アクチュエータ１５が２つ設けられ、ポール本体１１の内周面１１ａの対向する位置にそれぞれ固定されている。このようにアクチュエータ１５が複数設けられる場合、それぞれのアクチュエータ１５から異なる振動が発せられても良い。これにより、立体的で臨場感のある音響効果が得られる。
【００２４】
図３（Ａ）は、ポール１０に用いられるアクチュエータ１５の正面図であり、図３（Ｂ）は、アクチュエータ１５の側面図である。図３（Ａ）及び（Ｂ）に示すように、アクチュエータ１５は、振動を発生する振動発生部１６と、振動発生部１６によって加振される振動板１７と、を有する。
【００２５】
振動発生部１６は、電気信号を受けて音波を発生させるための振動を起こすものである。振動発生部１６は、振動板１７の一方の主面に固定されて振動板１７の板厚方向に振動する。振動発生部１６の駆動方式としては、例えば、動電型、静電型、圧電型、リボン型、イオン型等の各種方式を採用し得る。
【００２６】
振動板１７は、略矩形板状の部材であり、前述のとおり、振動板１７の一方の主面には、振動発生部１６が振動伝達可能に固定されている。振動板１７は、振動発生部１６をポール１０（図２参照）に取り付けるための支持部材としての機能と、振動発生部１６の振動をポール１０に伝達する機能と、を有する。
【００２７】
振動板１７の、振動発生部１６が取り付けられている一方の主面に対して反対側となる他方の主面は、アクチュエータ１５をポール１０に取り付けるための取付面１７ａとなる。取付面１７ａは、略平面状に形成されている。また、振動板１７には、アクチュエータ１５をポール１０に固定するための取付孔１８が形成されている。取付孔１８には、ねじ等の図示しない締結部材が挿通される。
【００２８】
なお、アクチュエータ１５には、ガラスコーティング等が施され、振動発生部１６等は、ガラスコーティング等によって覆われていても良い。これにより、アクチュエータ１５の耐水性、耐久性が更に高められる。
【００２９】
図４は、ポール１０のアクチュエータ１５付近を示す横断面図である。図４に示すように、アクチュエータ１５は、振動板１７の取付面１７ａが、ポール本体１１の内周面１１ａに直接または図示しないクッション材等を介して当接するように固定されている。
【００３０】
振動板１７とポール本体１１は、図示しないねじ等の締結部材によって固定されていても良いし、接着剤等によって固定されていても良い。アクチュエータ１５の振動板１７が、ポール本体１１の内周面１１ａ固定されていることにより、振動発生部１６の振動が振動板１７を介してポール本体１１の内周面１１ａに効率良く伝播され、ポール本体１１から高音質な音声が得られる。
【００３１】
即ち、ポール本体１１が音声を発生させるために空気を振動させる振動体として機能し、アクチュエータ１５の振動がポール本体１１を介して周囲の空気を振動させて、聞き取り易い高音質な音声を発生させることができる。特に、本実施形態では、ポール本体１１の外周面近傍から自然波に近い平面波状の空気振動が発生するので、干渉によるノイズが少なく小音量でも遠くまで到達する明瞭な音波が得られる。
【００３２】
図５は、本発明の他の実施形態に係るスピーカ機能付きポールであるポール１１０のアクチュエータ１５付近を示す横断面図である。なお、既に説明した実施形態と同一若しくは同様の作用、効果を奏する構成要素については、同一の符号を付し、その説明を省略する。
【００３３】
図５に示すように、ポール本体１１１は、横断面略円形状、即ち略円管状に形成されている。ポール本体１１１が略円管状に形成された場合、アクチュエータ１５は、ポール本体１１１の内部に形成された取付部１２に固定されても良い。取付部１２は、略平板状の形態をなし、例えば、溶接等によってポール本体１１１の内周面１１１ａに固定されている。これにより、アクチュエータ１５の振動を効率的にポール本体１１１に伝達することができ、ポール本体１１１から高音質で明瞭な音声を発生させることができる。なお、ポール本体１１１の形状としては、略円柱状等の他にも種々の形態を採用し得る。
【００３４】
本発明は、上記の実施形態に限定されるものではなく、その他、本発明の要旨を逸脱しない範囲で、種々の変更実施が可能である。
【符号の説明】
【００３５】
１      街路灯装置
１０、１１０    ポール
１１、１１１    ポール本体
１１ａ、１１１ａ        内周面
１２    取付部
１５    アクチュエータ
１６    振動発生部
１７    振動板
１７ａ  取付面
２１    照明装置
２２    撮像装置
【図１】
2018182401.tif 000003
【図２】
2018182401.tif 000004
【図３】
2018182401.tif 000005
【図４】
2018182401.tif 000006
【図５】
2018182401.tif 000007